(57)【要約】      （修正有）【課題】スライドファスナーの開閉状態を目視により容易にかつ確実に識別することができスライドファスナーの閉め忘れを抑止することができるバッグを提供する。【解決手段】バッグ１において、収納物を収納するための収納空間２と収納空間２を外部に開放するための開口３とを有した収納本体部１１と、開口３を開閉するための蓋部１２と、蓋部を開閉するために開口３の周縁及び蓋部の周縁に取り付けられたスライドファスナー２１，２２と、スライドファスナー２１，２２が収納本体部１１の収納空間２に収納された収納物を噛み込むことを防止するために開口３の周縁及び蓋部１２の周縁の少なくとも一方にスライドファスナー２１，２２に沿うようにして内側に設けられた噛み込み防止用のフラップ１０，２０とを具備し、スライドファスナー２１，２２が開状態とされたときに外部に露呈するフラップ１０，２０の色が収納本体部１１の外観色及び蓋部の外観色とは異なる。【選択図】図２
0003207459.tif 000002
【実用新案登録請求の範囲】
【請求項１】
バッグにおいて、
収納物を収納するための収納空間と、該収納空間を外部に開放するための開口と、を有した収納本体部と、
上記開口を開閉するための蓋部と、
上記蓋部を開閉するために上記開口の周縁及び上記蓋部の周縁に取り付けられたスライドファスナーと、
上記スライドファスナーが上記収納本体部の収納空間に収納された収納物を噛み込むことを防止するために、上記開口の周縁及び上記蓋部の周縁の少なくとも一方に、上記スライドファスナーに沿うようにして、上記スライドファスナーの内側に設けられた噛み込み防止用のフラップと、
を具備し、
上記スライドファスナーが開状態とされたときに外部に露呈する上記フラップの色が、上記収納本体部の外観色及び上記蓋部の外観色とは異なることを特徴としたバッグ。
【請求項２】
上記スライドファスナーの外観色が上記収納本体部の外観色及び上記蓋部の外観色と略同一色であることを特徴とした請求項１記載のバッグ。
【請求項３】
上記収納本体部の上記収納空間の内面を形成する材料の色と、上記フラップの色とは、略同一色であることを特徴とした請求項１又は請求項２記載のバッグ。
【考案の詳細な説明】
【技術分野】
【０００１】
本考案は、収納物を収納するための収納空間の開口を開閉するための蓋部をスライドファスナーにより開閉する形態のバッグに関するものである。
【背景技術】
【０００２】
従来、収納物を収納するためのバッグにおいては、収納本体部の開口と蓋部とをファスナー又はジッパー等と呼ばれるいわゆるスライドファスナー（Slide Fastener）を用いて開閉する形態のものが一般に実用化されている。
【０００３】
このような形態の従来のバッグにおいては、例えばスライドファスナーを閉め忘れて、開口が開状態のままバッグを持ち上げて運搬に供してしまうことがある。このような場合には、バッグの開口から収納物が落下してしまうことがある。
【０００４】
そこで、従来のバッグにおいては、開口の開閉状態を確認し易くするための工夫が、例えば特開平１０−３１３９０９号公報（特許文献１）等によって種々提案されている。
【０００５】
上記特開平１０−３１３９０９号公報（特許文献１）によって開示されているバッグは、開口（スライドファスナー）が閉状態にある時に外部から視認できる第１の色と、同開口（スライドファスナー）が開状態にある時に上記第１の色と当該第１の色とは異なる第２の色とが外部から視認できるように、エレメント（務歯（むし））を色分けして構成したスライドファスナーを用いて構成している。このような構成によって、上記公報（特許文献１）に開示されているバッグによれば、開口（スライドファスナー）が閉状態にある時には第１の色のみが視認される一方、同開口（スライドファスナー）が開状態にある時には第１の色及び第２の色を同時に視認し得るので、使用者（ユーザ）は、開口（スライドファスナー）の開閉状態を目視によって容易に識別できるというものである。
【先行技術文献】
【特許文献】
【０００６】
【特許文献１】特開平１０−３１３９０９号公報
【考案の概要】
【考案が解決しようとする課題】
【０００７】
ところが、上記特開平１０−３１３９０９号公報（特許文献１）によって開示されているバッグは、色分けして着色されたスライドファスナーのエレメント（務歯（むし））の色の違いを目視確認するものであることから、視認し得る部分が小さく、見逃しやすいという問題点がある。また、当該バッグにおいては、第１の色と第２の色に色分け着色した特別仕様のスライドファスナーを適用することになり、製造コストが増加してしまうという問題点もある。
【０００８】
本考案は、上述した点に鑑みてなされたものであって、その目的とするところは、収納物を収納するためのバッグにおいて、開口（スライドファスナー）の開閉状態を見落とすことなく、目視によって容易にかつ確実に識別することができ、よってスライドファスナーの閉め忘れを抑止することができるバッグを提供することである。
【課題を解決するための手段】
【０００９】
上記目的を達成するために、本考案の一態様のバッグは、バッグにおいて、収納物を収納するための収納空間と、該収納空間を外部に開放するための開口と、を有した収納本体部と、上記開口を開閉するための蓋部と、上記蓋部を開閉するために上記開口の周縁及び上記蓋部の周縁に取り付けられたスライドファスナーと、上記スライドファスナーが上記収納本体部の収納空間に収納された収納物を噛み込むことを防止するために、上記開口の周縁及び上記蓋部の周縁の少なくとも一方に、上記スライドファスナーに沿うようにして、上記スライドファスナーの内側に設けられた噛み込み防止用のフラップと、を具備し、上記スライドファスナーが開状態とされたときに外部に露呈する上記フラップの色が、上記収納本体部の外観色及び上記蓋部の外観色とは異なる。
【考案の効果】
【００１０】
本考案によれば、収納物を収納するためのバッグにおいて、開口（スライドファスナー）の開閉状態を見落とすことなく、目視によって容易にかつ確実に識別することができ、よってスライドファスナーの閉め忘れを抑止することができるバッグを提供することができる。
【図面の簡単な説明】
【００１１】
【図１】本考案の一実施形態のバッグの外観を示す外観斜視図
【図２】図１のバッグの開口（スライドファスナー）を開状態とし、蓋部を開位置に配置したときのようすを示す外観斜視図
【図３】図１のバッグにおいて、開口（スライドファスナー）の一部を開状態としたときのようすを示す外観斜視図
【図４】図３の矢印符号［４］で示す領域の断面を示す要部拡大断面図
【考案を実施するための形態】
【００１２】
以下、図示の実施の形態によって本考案を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本考案は、各図面に記載された各構成要素の数量や各構成要素の形状や各構成要素の大きさの比率や各構成要素の相対的な位置関係等に関して、図示の形態のみに限定されるものではない。
【００１３】
図１は、本考案の一実施形態のバッグの外観を示す外観斜視図である。図２は、本実施形態のバッグの開口（スライドファスナー）を全開状態とし、蓋部を開位置に配置したときのようすを示す外観斜視図である。なお、図２においては、蓋部の一部の図示を省略している。なお、図２に示す状態をバッグの開口（スライドファスナー）の全開状態というものとする。この状態としたときの蓋部の配置されている位置を開位置というものとする。
【００１４】
図３は、本実施形態のバッグにおいて、開口（スライドファスナー）の一部を開状態としたときのようすを示す外観斜視図である。なお、図３に示す状態においては、蓋部が閉位置にあり、バッグの開口（スライドファスナー）の一部が開状態とされているので、この状態を一部開状態というものとする。また、図３においては、本実施形態のバッグの一部のみを図示し、他の一部の図示は省略している。
【００１５】
図４は、図３の矢印符号［４］で示す領域の断面を示す要部拡大断面図である。なお、図４に示す状態では、開口（スライドファスナー）の一部が開状態となっているようすを示している。
【００１６】
本実施形態のバッグにおける通常使用時の姿勢、即ち使用者（ユーザ）が当該バッグを背負ったときのバッグの姿勢を図１に示す。以下の説明において、本実施形態のバッグの上下左右をいうとき、当該バッグが図１に示す通常使用姿勢にあるときに、以下のように定義する。
【００１７】
即ち、本実施形態のバッグが図１に示す通常使用姿勢にあるとき、当該バッグの上側を上部といい、下側を下部若しくは底部というものとする。また、使用者（ユーザ）の背中に対向する側を背面部といい、この背面部に対向し外面に露呈される側を前部というものとする。そして、当該バッグの通常使用姿勢にあるとき、使用者（ユーザ）の右手側を右側とし、同状態での左手側を左側というものとする。換言すると、通常使用姿勢にあるバッグを前部に対面して見たときの右手側を右側とし、左手側を左側というものとする。
【００１８】
まず、本実施形態のバッグ１の概略構成について、主に図１，図２を用いて以下に説明する。図１に示すように、本実施形態において例示するバッグ１は、使用者（ユーザ）が背中に背負う形態で使用するいわゆるバックパック形態の収納具である。
【００１９】
当該バッグ１は、収納物を収納するための収納空間２（図１では不図示。図２参照）と、この収納空間２の開口３（図１では不図示。図２参照）とを有する収納本体部１１と、当該収納本体部１１の開口３を開閉するための蓋部１２とを具備している。
【００２０】
そして、収納本体部１１と蓋部１２とは、スライドファスナー（２１，２２）により開閉することができるように構成されている。即ち、収納本体部１１に対し蓋部１２を開閉するために、上記開口３の周縁と、上記蓋部１２の周縁とには、それぞれにスライドファスナー（２１，２２）が設けられている。
【００２１】
ここで、図１，図２において符号２１で示すスライドファスナー務歯列を本体側スライドファスナー２１というものとする。また、同様に、図１，図２において符号２２で示すスライドファスナー務歯列を蓋側スライドファスナー２２というものとする。
【００２２】
本実施形態のバッグ１の上部の外面には、上部サブバッグ１３が設けられている。この上部サブバッグ１３は、二つの内部空間（第１三脚ベルト収納部及び小物収納部）を形成している。そのために、当該上部サブバッグ１３は、前部側に向けた開口を開閉する上部サブバッグ用第１スライドファスナー２３ａと、背面側から両側面に亘る開口を開閉する上部サブバッグ用第２スライドファスナー２３ｂとを有している。
【００２３】
ここで、上記上部サブバッグ用第１スライドファスナー２３ａを開状態として形成される開口内部の第１三脚ベルト収納部（不図示）には、第１三脚固定用ベルト（不図示）が収納されている。また、上記上部サブバッグ用第２スライドファスナー２３ｂを開状態として形成される開口内部の小物収納部は、例えばペンやその他の小物等の携行品（不図示）を収納し得る空間となっている。なお、上記第１三脚ベルト収納部と、小物収納部とは、それぞれが上部サブバッグ１３の内部で隔てられ、それぞれが独立した空間として形成されている。
【００２４】
なお、上記バッグ１の上部側には、背面寄りの部位から上部に向けて延出し、両端が上記バッグ１の上部の外面に縫い付けられてループ状を形成している手提げ用把手ベルト３３が設けられている。手提げ用把手ベルト３３は、使用者（ユーザ）が図１に示す通常使用姿勢を保持しつつ手に下げて移動する際に使用される把手部である。
【００２５】
本実施形態のバッグ１の前部の外面には、フロントポケット１４が設けられている。このフロントポケット１４は、小物等の携行品（不図示）を収納し得る空間である。当該フロントポケット１４は、フロントポケット用スライドファスナー２４によって上部側から両側面に亘って開口し得るように構成されている。
【００２６】
本実施形態のバッグ１の左側面には、上部寄りに左サイドポケット１６が設けられ、下側寄りに左サイド開口蓋部１７が設けられている。上記左サイドポケット１６は、小物等の携行品（不図示）を収納し得る空間である。当該左サイドポケット１６は、左サイドポケット用スライドファスナー２６によって上部側から前部側の一部に亘って開口し得るように構成されている。
【００２７】
上記左サイド開口蓋部１７は、上記収納本体部１１の側面の一部に設けられる開口を覆う蓋部材である。当該左サイド開口蓋部１７は、左サイド開口用スライドファスナー２７によって、上部側から背面を経て下部に亘って開口を開閉し得るように構成されている。この左サイド開口蓋部１７は、収納本体部１１の収納空間２に収納された収納物を、上記蓋部１２を開状態とせずに取り出すことができるようにするために設けられた開口を覆う蓋部である。
【００２８】
なお、上記左サイド開口蓋部１７の外面には、網ポケット１７ａが設けられている。この網ポケット１７ａは、上部側に開口を有し、例えばペットボトル等の飲料容器を収納し得るように構成されている。
【００２９】
なお、図面には示されていないが、本実施形態のバッグ１の右側面には、下側寄りの部位には右側網ポケット（不図示）が設けられている。この右側網ポケットは、上記網ポケット１７ａと略同形態に形成されているものである。
【００３０】
本実施形態のバッグ１の背面側には、上部の縁部から下部の縁部との間に掛け渡されるように一対のショルダストラップ３１が設けられている。この一対のショルダストラップ３１のそれぞれにはトップスタビライザ３２が設けられている。また、一対のショルダストラップ３１の中程には、チェスト（chest）ベルト３４が設けられている。
【００３１】
そして、バッグ１の背面側の下部の縁部からは、一対のウエスト（waist）ベルト３５が背面側に向けて延出している。上記トップスタビライザ３２，チェストベルト３４，ウエストベルト３５は、使用者（ユーザ）の身体にかかるバッグの荷重を調整するために設けられている補助ベルトである。
【００３２】
なお、詳細な図示は省略しているが、本実施形態のバッグ１の底面側には、底部ポケット１８が設けられている（図２参照）。この底部ポケット１８は、二つの内部空間（三脚受用袋収納部及びカバー収納部）を形成している。そのために、当該底部ポケット１８は、前部側に向けた開口（三脚受用袋収納部）を開閉するスライドファスナー（不図示）及び背面側に向けた開口（カバー収納部）を開閉するスライドファスナー（不図示）とを有している。
【００３３】
なお、詳細は省略するが、上記三脚受用袋収納部には、三脚受用袋状部材（不図示）が収納されている。また、カバー収納部には、当該バッグ１の外面全体を覆うカバー部材（不図示）やその他の携行品（不図示）を収納し得る空間である。なお、三脚受用袋収納部とカバー収納部とは、それぞれが底部ポケット１８の内部で隔てられ、それぞれが独立した空間として形成されている。
【００３４】
また、上記底部ポケット１８の底面側の外面には、複数のゴム足１８ａが設けられている。この複数のゴム足１８ａは、当該バッグ１を図１に示す通常使用姿勢を保持させた状態で地面等に載置する際に、バッグ１の安定性を確保するために設けられた部材である。なお、図２においては、複数のゴム足１８ａのうち一つのみが図示されている（図１では不図示）。
【００３５】
このように構成された本実施形態のバッグ１において、上記スライドファスナー（２１，２２）の内側には、図２〜図４に示すように、噛み込み防止用のフラップ（１０，２０；以下、単にフラップと略記する）が設けられている。当該フラップ（１０，２０）は、上記スライドファスナー（２１，２２）が開閉される際に、当該スライドファスナー（２１，２２）が収納本体部１１の収納空間２の内部に収納されている収納物を噛み込んでしまうことを防止するために設けられている部材である。
【００３６】
そのために、上記フラップ（１０，２０）は、開口３の周縁と蓋部１２の周縁とに、スライドファスナー（２１，２２）に沿うようにして当該スライドファスナー（２１，２２）の内側に設けられている。
【００３７】
ここで、図２等に示すように、開口３の内側周縁に設けられるフラップを、本体側フラップ１０というものとする。また、同様に、蓋部１２の内側周縁に設けられるフラップを蓋側フラップ２０というものとする。
【００３８】
なお、本実施形態においては、開口３の周縁及び蓋部１２の周縁の双方にフラップを設けた例を示しているが、この構成例に限られることはない。上記フラップは、開口３の周縁と蓋部１２の周縁との少なくとも一方、即ち、上述の実施形態における本体側フラップ１０と蓋側フラップ２０とのいずれか一方を設けて構成されておればよい。
【００３９】
そして、上記フラップ（１０，２０）は、スライドファスナー（２１，２２）が開状態とされたとき（図２〜図４参照）には、外部に露呈されるように構成されている。したがって、このとき、使用者（ユーザ）は目視によりフラップ（１０，２０）を視認し得る状態となる。一方、上記フラップ（１０，２０）は、スライドファスナー（２１，２２）が閉状態（図１に示す状態）とされているときには、外部から視認することができないように構成されている。
【００４０】
さらに、本実施形態のバッグ１においては、スライドファスナー（２１，２２）が開状態とされたとき（図２〜図４参照）に外部に露呈する上記フラップ（１０，２０）の色を、上記スライドファスナー（２１，２２）の色とは異なる色で構成している。
【００４１】
具体的には、例えば、本実施形態のバッグ１において、スライドファスナー（２１，２２）の色を「黒色」とする一方、上記フラップ（１０，２０）の色を「黄色」とするといった構成である。
【００４２】
このような構成とすれば、スライドファスナー（２１，２２）を開状態としたとき、スライドファスナー（２１，２２）の「黒色」の間に、フラップ（１０，２０）の「黄色」が外部に向けて露呈される。したがって、使用者（ユーザ）は、フラップ（１０，２０）が視認されたときには、スライドファスナー（２１，２２）が開状態であることを認識できる。
【００４３】
ここで、「黒色」に対して異なる色である「黄色」は、コントラスト差が大きいことから、より目立つ色であり、使用者（ユーザ）にとっては視認しやすい色である。スライドファスナー（２１，２２）の色とフラップ（１０，２０）の色とを異ならせて構成するのに際しては、視認しやすさを考慮して設定すれば、より効果的である。
【００４４】
なお、上記フラップ（１０，２０）の色は、例えば、収納本体部１１の収納空間２の内面を形成する材料の色と異なる色で構成してもよいが開口状態を目立たせるためには略同一色としたほうが好ましい。なお、「略同一色」と表現した理由は、特に、互いに異なる材質の場合など、色を合わせたとしても僅かに色の差異などが生じるからであり、色相が同じ若しくは若干の差があったとしてもよく、彩度，明度は問わない。また、上記フラップの色を、例えば蛍光色とすれば、なお一層、開口状態を目立たせることができる。
【００４５】
また、上記フラップ（１０，２０）の色を、バッグ１の外観の色とは異なるものとすれば、なお効果的である。つまり、バッグの外観は収納本体部自身の外観色と蓋部の外観色で構成されるが、上記フラップ（１０，２０）の色を収納本体部自身の外観色と蓋部の外観色の両方の色と異ならせるのが望ましい。
【００４６】
以上説明したように上記一実施形態によれば、バッグ１において、収納物を収納するための収納空間２と、該収納空間２を外部に開放するための開口３とを有した収納本体部１１と、開口３を開閉するための蓋部１２と、蓋部１２を開閉するために開口３の周縁及び蓋部１２の周縁に取り付けられたスライドファスナー２１，２２と、スライドファスナー２１，２２が収納本体部１１の収納空間２に収納された収納物を噛み込むことを防止するために開口３の周縁及び蓋部１２の周縁（の少なくとも一方）にスライドファスナー２１，２２に沿うようにして、同スライドファスナー２１，２２の内側に設けられた噛み込み防止用のフラップ１０，２０とを具備し、スライドファスナー２１，２２が開状態とされたときに露呈するフラップ１０，２０の色を、上記収納本体部の外観色及び上記蓋部の外観色とは異なるものを採用して構成している。なお、上記スライドファスナーの外観色が上記収納本体部の外観色及び上記蓋部の外観色と略同一色であれば、上記開口状態においてなお一層、フラップ１０，２０の色を目立たせることができる。なお、「略同一色」と表現した理由は、特に、互いに異なる材質の場合など、色を合わせたとしても僅かに色の差異などが生じるからであり、上述と同様の理由である。
【００４７】
このように、スライドファスナー（２１，２２）の色と、フラップ（１０，２０）の色とを異ならせて構成することによって、開口３（スライドファスナー２１，２２）の開閉状態を見落とすことなく、目視によって容易にかつ確実に識別することができる。したがって、これにより、バッグ１におけるスライドファスナー２１，２２の閉め忘れを確実に抑止することができる。
【００４８】
なお、上述の一実施形態においては、開口３と蓋部１２との間に設けられるスライドファスナー（２１，２２）とフラップ（１０，２０）に対して、本考案を適用した例を示しているが、本考案は、当該部位のみに限らず、他の部位に対しても同様に適用することが可能である。
【００４９】
例えば、上記バッグ１においては、左側面の下側寄りに左サイド開口蓋部１７が設けられている。この左サイド開口蓋部１７によって覆われる開口部分においても、本考案を同様に適用することができる。
【００５０】
即ち、当該左サイド開口蓋部１７は、左サイド開口用スライドファスナー２７（以下、単にスライドファスナー２７という）によって開閉することができるように構成されている。この部分においては、開口の周縁及び蓋部の周縁の少なくとも一方に、スライドファスナー２７に沿うようにして、当該スライドファスナー２７の内側に噛み込み防止用のフラップ（不図示）が設けられる。この場合において、スライドファスナー２７の色と、上記フラップ（不図示）の色とを異なるように構成する。
【００５１】
このような構成により、当該左サイド開口蓋部１７においても、上述の一実施形態と全く同様の効果を得ることができる。
【００５２】
このように、本考案は、バッグにおいて、収納本体部の収納空間の開口を覆う蓋部をスライドファスナーを用いて開閉するように構成した部分に適用すれば、当該蓋部による開口（スライドファスナー）の開閉状態を目視によって容易にかつ確実に識別することができる。したがって、これにより、スライドファスナーの閉め忘れに起因してバッグの開口から収納物を落下させてしまうようなことを防止することができる。
【００５３】
本考案は上述した実施形態に限定されるものではなく、考案の主旨を逸脱しない範囲内において種々の変形や応用を実施し得ることが可能であることは勿論である。さらに、上記実施形態には、種々の段階の考案が含まれており、開示される複数の構成要件における適宜な組み合わせによって、種々の考案が抽出され得る。例えば、上記一実施形態に示される全構成要件から幾つかの構成要件が削除されても、考案が解決しようとする課題が解決でき、考案の効果が得られる場合には、この構成要件が削除された構成が考案として抽出され得る。さらに、異なる実施形態にわたる構成要素を適宜組み合わせてもよい。この考案は、添付のクレームによって限定される以外にはそれの特定の実施態様によって制約されない。
【符号の説明】
【００５４】
１……バッグ
２……収納空間
３……開口
１０……本体側フラップ
１１……収納本体部
１２……蓋部
１３……上部サブバッグ
１４……フロントポケット
１６……左サイドポケット
１７……左サイド開口蓋部
１７ａ……網ポケット
１８……底部ポケット
１８ａ……ゴム足
２０……蓋側フラップ
２１……本体側スライドファスナー
２２……蓋側スライドファスナー
２３ａ……上部サブバッグ用第１スライドファスナー
２３ｂ……上部サブバッグ用第２スライドファスナー
２４……フロントポケット用スライドファスナー
２６……左サイドポケット用スライドファスナー
２７……左サイド開口用スライドファスナー
３１……ショルダストラップ
３２……トップスタビライザ
３３……手提げ用把手ベルト
３４……チェストベルト
３５……ウエストベルト
【図１】
0003207459.tif 000003
【図２】
0003207459.tif 000004
【図３】
0003207459.tif 000005
【図４】
0003207459.tif 000006